(57)【要約】      （修正有）【課題】物品を効率良く正確に捜索できる物品管理システムを提供する。【解決手段】物品３の第１物品ＩＤと物品情報とを関連付ける物品データと、第１ユーザの第１ユーザＩＤと第１ユーザ情報とを関連付けるユーザデータと、第１エリアの第１エリアＩＤと第１エリア情報とを関連付ける第１エリアデータと、第１物品ＩＤに第１ユーザＩＤ及び第１エリアＩＤを関連付ける物品状況データとを格納する物品管理サーバ１０と、出力部を備えるＩＣタグリーダ２０と、物品３に取り付けられた物品識別用ＩＣタグ３０とを具備する。物品管理サーバ１０は、第１物品ＩＤ、物品情報、第１ユーザ情報及び第１エリア情報をＩＣタグリーダ２０へ送信し、出力部はこれらを出力する。物品識別用ＩＣタグ３０は、第２物品ＩＤを送信し、ＩＣタグリーダ２０は、第１物品ＩＤと第２物品ＩＤとに基づいて第１物品の存在を検知する。出力部は、物品３が検知されたことを出力する。【選択図】図１
2010089870.tif 000002
【特許請求の範囲】
【請求項１】
物品を識別する第１物品ＩＤと前記物品に関する物品情報とを関連付ける物品データと、第１ユーザを識別する第１ユーザＩＤと前記第１ユーザに関する第１ユーザ情報とを関連付けるユーザデータと、第１エリアを識別する第１エリアＩＤと前記第１エリアに関する第１エリア情報とを関連付ける第１エリアデータと、前記第１物品ＩＤに前記第１ユーザＩＤ及び前記第１エリアＩＤを関連付ける物品状況データとを格納する物品管理サーバと、
出力部を備えるＩＣタグリーダと、
前記物品に取り付けられた物品識別用ＩＣタグと、
を具備し、
前記物品管理サーバは、前記第１物品ＩＤ、前記物品情報、前記第１ユーザ情報及び前記第１エリア情報を前記ＩＣタグリーダへ送信し、
前記出力部は、前記物品情報、前記第１ユーザ情報及び前記第１エリア情報を出力し、
前記物品識別用ＩＣタグは、第２物品ＩＤを送信し、
前記ＩＣタグリーダは、前記第１物品ＩＤと前記第２物品ＩＤとに基づいて前記第１物品の存在を検知し、
前記出力部は、前記物品が検知されたことを出力する
物品管理システム。
【請求項２】
請求項１に記載の物品管理システムであって、
前記物品管理サーバは、
前記第１物品ＩＤに第２ユーザＩＤと、第２エリアＩＤと、第１時間情報より前の時を示す第２時間情報とを関連付ける履歴データを格納する履歴データ管理部
を備え、
前記物品管理サーバは、
前記物品状況データに前記第１物品ＩＤと前記第１時間情報とを関連付けて格納し、更に、前記第２ユーザＩＤと第２ユーザに関する第２ユーザ情報とを関連づける第２ユーザデータと、前記第２エリアＩＤと第２エリアに関する第２エリア情報とを関連付ける第２エリアデータとを格納し、前記第２ユーザ情報及び前記第２エリア情報を前記ＩＣタグリーダへ送信し、
前記出力部は、前記第２ユーザ情報及び前記第２エリア情報を出力する
物品管理システム。
【請求項３】
請求項１又は２に記載の物品管理システムであって、
前記第１ユーザに取り付けられ、第３ユーザＩＤ送信するユーザ識別用ＩＣタグと、
前記第１エリアに取り付けられ、第３エリアＩＤを送信するエリア識別用ＩＣタグと、
報知する報知装置と、
を更に具備し、
前記物品管理サーバは、
前記ＩＣタグリーダが同時に受信した、前記第２物品ＩＤと前記第３ユーザＩＤとの組合せが、前記物品状況データに含まれる前記第１物品ＩＤと前記第１ユーザＩＤとの組合せと同じであるか否かと、前記ＩＣタグリーダが同時に受信した、前記第２物品ＩＤと前記第３エリアＩＤとの組合せが、前記物品状況データに含まれる前記第１物品ＩＤと前記第１エリアＩＤとの組合せと同じであるか否かと、を比較する比較部と、
前記比較部の比較結果が同じでない場合に、第１報知要求を前記報知装置へ送信する報知制御部と
を備え、
前記報知装置は、前記第１報知要求に基づいて報知する
物品管理システム。
【請求項４】
請求項３に記載の物品管理システムであって、
前記第１エリアに設置され、前記第１エリアＩＤを格納する固定式ＩＣタグリーダ
を更に具備し、
前記固定式ＩＣタグリーダは、受信した前記第２物品ＩＤと格納している前記第１エリアＩＤとを送信し、
前記比較部は、前記固定式ＩＣタグリーダから受信した前記第２物品ＩＤと前記第１エリアＩＤとの組合せと、前記物品状況データに含まれる前記第１物品ＩＤと前記第１エリアＩＤとの組合せとが同じであるか否かを比較し、
前記報知制御部は、比較結果が同じでない場合に、第２報知要求を前記報知装置へ送信し、
前記報知装置は、前記第２報知要求に基づいて報知する
物品管理システム。
【請求項５】
請求項１又は２に記載の物品管理システムであって、
前記第１エリアに設置され、前記第１エリアＩＤを格納する固定式ＩＣタグリーダ
を更に具備し、
前記固定式ＩＣタグリーダは、受信した前記第２物品ＩＤと格納している前記第１エリアＩＤとを送信し、
前記物品管理サーバは、前記固定式ＩＣタグリーダから受信した前記第２物品ＩＤと前記第１エリアＩＤとを含む最新物品データを、前記物品状況データと関連づけて格納する
物品管理システム。
【請求項６】
物品管理サーバが、物品の物品状況データに基づいて、前記物品を識別する第１物品ＩＤと、前記物品に関する物品情報と、第１ユーザに関する第１ユーザ情報と、第１エリアに関する第１エリア情報とを送信するステップと、前記物品状況データは、前記第１物品ＩＤと前記物品情報とを関連付ける物品データと、前記第１ユーザを識別する第１ユーザＩＤと前記第１ユーザ情報とを関連付けるユーザデータと、前記第１エリアを識別する第１エリアＩＤと前記第１エリア情報とを関連付ける第１エリアデータとに基づいて、前記第１物品ＩＤに前記第１ユーザＩＤ及び前記第１エリアＩＤが関連付けられたデータであり、
ＩＣタグリーダが、受信した前記物品情報、前記第１ユーザ情報及び前記第１エリア情報を出力するステップと、
前記ＩＣタグリーダが、前記物品に取り付けられた物品識別用ＩＣタグから、第２物品ＩＤを受信するステップと、
前記ＩＣタグリーダが、前記第１物品ＩＤと前記第２物品ＩＤとに基づいて前記第１物品の存在を検知するステップと、
前記ＩＣタグリーダが、前記物品が検知されたことを出力するステップと
を具備する
物品管理方法。
【請求項７】
請求項６に記載の物品管理方法であって、
前記物品管理サーバが、第２ユーザに関する第２ユーザ情報及び第２エリアに関する第２エリア情報を送信するステップと、前記第２ユーザ情報及び前記第２エリア情報は、前記物品状況データの前記第１物品ＩＤと関連付けられた第１時間情報より前の時を示す第２時間情報と関連付けられた履歴データであり、
前記ＩＣタグリーダが、前記第２ユーザ情報及び前記第２エリア情報を出力するステップと、
を更に具備する
物品管理方法。
【請求項８】
請求項６又は７に記載の物品管理方法であって、
前記ＩＣタグリーダが、前記第１ユーザに取り付けられたユーザ識別用ＩＣタグが送信する第３ユーザＩＤ、又は前記第１エリアに取り付けられたエリア識別用ＩＣタグが送信する第３エリアＩＤのうちの少なくとも一方と、前記第２物品ＩＤとを、同時に受信するステップと、
前記物品管理サーバが、同時に受信された前記第２物品ＩＤと前記第３ユーザＩＤとの組合せが、前記物品状況データに含まれる前記第１物品ＩＤと前記第１ユーザＩＤとの組合せと同じであるか否か、又は、同時に受信された前記第２物品ＩＤと前記第３エリアＩＤとの組合せが、前記物品状況データに含まれる前記第１物品ＩＤと前記第１エリアＩＤとの組合せと同じであるか否かと、を比較するステップと、
前記物品管理サーバが、前記比較するステップの比較結果が同じでない場合に、第１報知要求を送信するステップと、
前記第１報知要求に基づいて報知するステップと、
を更に具備する
物品管理方法。
【請求項９】
請求項８に記載の物品管理方法であって、
前記第１エリアに設置された固定式ＩＣタグリーダが、受信した前記第２物品ＩＤと格納している前記第１エリアＩＤとを送信するステップと、
前記物品管理サーバが、前記固定式ＩＣタグリーダから受信した前記第２物品ＩＤと前記第１エリアＩＤとの組合せと、前記物品状況データに含まれる前記第１物品ＩＤと前記第１エリアＩＤとの組合せとが同じであるか否かを比較するステップと、
前記物品管理サーバが、前記比較するステップの比較結果が同じでない場合に、第２報知要求を送信するステップと、
前記第２報知要求に基づいて報知するステップと、
を更に具備する
物品管理方法。
【請求項１０】
請求項６又は７に記載の物品管理方法であって、
前記第１エリアに設置された固定式ＩＣタグリーダが、受信した前記第２物品ＩＤと格納している前記第１エリアＩＤとを送信するステップと、
前記物品管理サーバが、前記固定式ＩＣタグリーダから受信した前記第２物品ＩＤと前記第１エリアＩＤとを含む最新物品データを、前記物品状況データと関連づけて格納するステップと、
を更に具備する
物品管理方法。
【請求項１１】
請求項１乃至５の何れか一項で使用される
物品管理サーバ。
【請求項１２】
請求項１乃至５の何れか一項で使用される
ＩＣタグリーダ。
【請求項１３】
物品を識別する第１物品ＩＤを送信するステップと、
前記第１物品ＩＤを含む物品状況データに基づいた、前記第１物品ＩＤと、前記物品に関する物品情報と、第１ユーザに関する第１ユーザ情報と、第１エリアに関する第１エリア情報とを受信するステップと、前記物品状況データは、前記第１物品ＩＤと前記物品情報とを関連付ける物品データと、前記第１ユーザを識別する第１ユーザＩＤと前記第１ユーザ情報とを関連付けるユーザデータと、前記第１エリアを識別する第１エリアＩＤと前記第１エリア情報とを関連付ける第１エリアデータとに基づいて、前記第１物品ＩＤに前記第１ユーザＩＤ及び前記第１エリアＩＤが関連付けられたデータであり、
前記物品情報、前記第１ユーザ情報及び前記第１エリア情報を出力するステップと、
前記物品に取り付けられた物品識別用ＩＣタグから、第２物品ＩＤを受信するステップと、
前記第１物品ＩＤと前記第２物品ＩＤとに基づいて前記第１物品の存在を検知するステップと、
前記物品が検知されたことを出力するステップと
を具備する
物品管理方法。
【請求項１４】
請求項１３に記載の物品管理方法であって、
前記第１物品ＩＤを送信するステップと、
前記第１物品ＩＤに関連付けられた第２ユーザに関する第２ユーザ情報及び第２エリアに関する第２エリア情報を受信するステップと、前記前記第２ユーザ情報及び前記第２エリア情報は、前記物品状況データの前記第１物品ＩＤと関連付けられた第１時間情報より前の時を示す第２時間情報と関連付けられた履歴データであり、
前記第２ユーザ情報及び前記第２エリア情報を出力するステップと、
を更に具備する
物品管理方法。
【請求項１５】
請求項１３又は請求項１４に記載の方法をコンピュータに実行させる
物品管理プログラム。
【請求項１６】
ＩＣタグリーダが同時に受信した、第１ユーザに取り付けられたユーザ識別用ＩＣタグが送信する第３ユーザＩＤ、又は第１エリアに取り付けられたエリア識別用ＩＣタグが送信する第３エリアＩＤのうちの少なくとも一方と、物品に取り付けられた物品識別用ＩＣタグが送信する第２物品ＩＤとを、受信するステップと、
前記第２物品ＩＤと前記第３ユーザＩＤとの組合せが、前記物品の物品状況データに含まれる前記物品を識別する第１物品ＩＤと前記第１ユーザを識別する第１ユーザＩＤとの組合せと同じであるか否か、又は、同時に受信された前記第２物品ＩＤと前記第３エリアＩＤとの組合せが、前記物品状況データに含まれる前記第１物品ＩＤと前記第１エリアを識別する第１エリアＩＤとの組合せと同じであるか否かと、を比較するステップと、前記物品状況データは、前記第１物品ＩＤと前記物品に関する物品情報とを関連付ける物品データと、前記第１ユーザＩＤと前記第１ユーザに関する第１ユーザ情報とを関連付ける第１ユーザデータと、前記第１エリアＩＤと前記第１エリアに関する第１エリア情報とを関連付ける第１エリアデータとに基づいて、前記第１物品ＩＤに前記第１ユーザＩＤ及び前記第１エリアＩＤが関連付けられたデータであり、
前記比較するステップの比較結果が同じでない場合に、第１報知要求を送信するステップと、
を具備する
物品管理方法。
【請求項１７】
請求項１６に記載の物品管理方法であって、
前記第１エリアに設置された固定式ＩＣタグリーダが送信した前記第２物品ＩＤと前記第１エリアＩＤとを受信するステップと、
前記固定式ＩＣタグリーダから受信した前記第２物品ＩＤと前記第１エリアＩＤとの組合せと、前記物品状況データに含まれる前記第１物品ＩＤと前記第１エリアＩＤとの組合せとが同じであるか否かを比較するステップと、
前記比較するステップの比較結果が同じでない場合に、第２報知要求を送信するステップと、
を更に具備する
物品管理方法。
【請求項１８】
請求項１６又は請求項１７に記載の方法をコンピュータに実行させる
物品管理プログラム。
【発明の詳細な説明】
【技術分野】
【０００１】
本発明は、物品を管理するシステムに関する。
【背景技術】
【０００２】
近年、多種多量の物品を管理するために様々なシステム及び方法が考えられている。特許文献１には、物品に装着したＩＣ（Ｉｎｔｅｇｒａｔｅｄ  Ｃｉｒｃｕｉｔ）タグを利用して、的確、確実に貸出しサービスを行う物品の貸出し管理支援システムが開示されている。この物品の貸出し管理支援システムは、物品の貸出しを希望する利用者が、店舗のホームページにアクセスして物品の有無や収納位置を問い合わせた場合、店舗内の物品識別システムが物品に装着した非接触ＩＣタグを検知して物品の有無の検索を行ってから回答することを特徴としている。
【０００３】
【特許文献１】特開２００３−１８２８４８号公報
【発明の開示】
【発明が解決しようとする課題】
【０００４】
機械加工が必要な製品を生産する場合、多類多量の加工用治具が使用される。特に、製品が多品種である場合は、使用される加工用治具の種類及び数は膨大になる。従って、加工用治具を捜索している者は、膨大な数の中から必要な加工用治具を見つけ出さなくてはならず、見つけ出すために時間が掛かり過ぎてしまう。しかも、形状が似ている加工用治具が複数ある場合には、加工用治具を捜索する者は必要な加工用治具を特定することも困難である。そこで、物品を効率良く正確に探し出せるシステム及び方法が求められている。更に、物品があるはずの場所にないときでも、物品を捜索しやすいことが必要である。
【０００５】
本発明の目的は、物品を効率良く正確に捜索できる、物品管理システムを提供することにある。
本発明の他の目的は、物品の詳細な使用場所又は保管場所に基づいて、物品を効率良く捜索できる物品管理システムを提供することにある。
本発明の他の目的は、物品を使用している者を効率良く捜索して、物品を捜索しやすい物品管理システムを提供することにある。
本発明の他の目的は、物品の過去の使用者及び過去の使用場所を捜索できる物品管理システムを提供することにある。
本発明の他の目的は、物品が決められた場所と異なる場所へ移動した場合に、報知することが出来る物品管理システムを提供することにある。
本発明の更に他の目的は、物品の最新の状況を定期的に取得することができる物品管理システムを提供することにある。
【課題を解決するための手段】
【０００６】
以下に、発明を実施するための最良の形態で使用される符号を括弧付きで用いて、課題を解決するための手段を記載する。この符号は、特許請求の範囲の記載と発明を実施するための最良の形態の記載との対応を明らかにするために付加されたものであり、特許請求の範囲に記載されている発明の技術的範囲の解釈に用いてはならない。
【０００７】
本発明の物品管理システム（１）は、物品（３）を識別する第１物品ＩＤと物品（３）に関する物品情報とを関連付ける物品データと、第１ユーザを識別する第１ユーザＩＤと第１ユーザに関する第１ユーザ情報とを関連付けるユーザデータと、第１エリアを識別する第１エリアＩＤと第１エリアに関する第１エリア情報とを関連付ける第１エリアデータと、第１物品ＩＤに第１ユーザＩＤ及び第１エリアＩＤを関連付ける物品状況データとを格納する物品管理サーバ（１０）と、出力部（２８）を備えるＩＣタグリーダ（２０）と、物品（３）に取り付けられた物品識別用ＩＣタグ（３０）とを具備する。物品管理サーバ（１０）は、第１物品ＩＤ、物品情報、第１ユーザ情報及び第１エリア情報をＩＣタグリーダ（２０）へ送信し、出力部（２８）は、物品情報、第１ユーザ情報及び第１エリア情報を出力する。物品識別用ＩＣタグ（３０）は、第２物品ＩＤを送信し、ＩＣタグリーダ（２０）は、第１物品ＩＤと第２物品ＩＤとに基づいて第１物品の存在を検知する。出力部（２８）は、物品（３）が検知されたことを出力する。
【０００８】
このような物品管理システム（１）は、物品管理サーバ（１０）が物品データと、ユーザデータと、エリアデータとを関連付けて、物品（３）の現在の貸出し及び保管状況を物品状況データとして一括して管理している。従って、ＩＣタグリーダ（２０）は、物品状況データ（第１物品ＩＤを含む）に基づき、物品情報、第１ユーザ情報及び第１エリア情報を第１ユーザが認識ように出力出来る。また、物品（３）には第２物品ＩＤを有する物品識別用ＩＣタグ（３０）が取り付けられているため、ＩＣタグリーダ（２０）は第１物品ＩＤと第２物品ＩＤとに基づいて物品（３）を検出して、出力することが出来る。
【０００９】
本発明の物品管理システム（１）における物品管理サーバ（１０）は、第１物品ＩＤに第２ユーザＩＤと、第２エリアＩＤと、第１時間情報より前の時を示す第２時間情報とを関連付ける履歴データを格納する履歴データ管理部（１０７）を備える。物品管理サーバ（１０）は、物品状況データに第１物品ＩＤと第１時間情報とを関連付けて格納する。更に、物品管理サーバ（１０）は、第２ユーザＩＤと第２ユーザに関する第２ユーザ情報とを関連づける第２ユーザデータと、第２エリアＩＤと第２エリアに関する第２エリア情報とを関連付ける第２エリアデータとを格納し、第２ユーザ情報及び第２エリア情報をＩＣタグリーダ（２０）へ送信する。出力部（２８）は、第２ユーザ情報及び第２エリア情報を出力する。
【００１０】
このような物品管理システム（１）は、履歴データ管理部（１０７）が物品（３）の過去の物品状況を示す履歴データを格納することが出来る。そして、ＩＣタグリーダ（２０）は、履歴データを出力して、第１ユーザに提供することが出来る。
【００１１】
本発明の物品管理システム（１）は、第１ユーザに取り付けられ、第３ユーザＩＤ送信するユーザ識別用ＩＣタグ（６０）と、第１エリアに取り付けられ、第３エリアＩＤを送信するエリア識別用ＩＣタグ（７０）と、報知する報知装置（８０）と、を更に具備する。物品管理サーバ（１０）は、ＩＣタグリーダ（２０）が同時に受信した、第２物品ＩＤと第３ユーザＩＤとの組合せが、物品状況データに含まれる第１物品ＩＤと第１ユーザＩＤとの組合せと同じであるか否かと、ＩＣタグリーダ（２０）が同時に受信した、第２物品ＩＤと第３エリアＩＤとの組合せが、物品状況データに含まれる第１物品ＩＤと第１エリアＩＤとの組合せと同じであるか否かと、を比較する比較部（１０８）と、比較部（１０８）の比較結果が同じでない場合に、第１報知要求を報知装置（８０）へ送信する報知制御部（１０９）とを備える。報知装置（８０）は、第１報知要求に基づいて報知する。
【００１２】
このような物品管理システム（１）は、ＩＣタグリーダ（２０）が同時に受信した第２物品ＩＤと第３ユーザＩＤとの組合せと、物品状況データに含まれる第１物品ＩＤと第１ユーザＩＤとの組合せとが同じでない場合、報知することが出来る。同様に、ＩＣタグリーダ（２０）が同時に受信した第２物品ＩＤと第３エリアＩＤとの組合せと、物品状況データに含まれる第１物品ＩＤと第１エリアＩＤとの組合せとが同じでない場合、報知することが出来る。
【００１３】
本発明の物品管理システム（１）は、第１エリアに設置され、第１エリアＩＤを格納する固定式ＩＣタグリーダ（９０）を更に具備する。固定式ＩＣタグリーダ（９０）は、受信した第２物品ＩＤと格納している第１エリアＩＤとを送信する。比較部（１０８）は、固定式ＩＣタグリーダ（９０）から受信した第２物品ＩＤと第１エリアＩＤとの組合せと、物品状況データに含まれる第１物品ＩＤと第１エリアＩＤとの組合せとが同じであるか否かを比較する。報知制御部（１０９）は、比較結果が同じでない場合に、第２報知要求を報知装置（８０）へ送信する。報知装置（８０）は、第２報知要求に基づいて報知する。
【００１４】
このような物品管理システム（１）は、固定式ＩＣタグリーダ（９０）が第２物品ＩＤを受信して、第１エリアＩＤと共に物品管理サーバ（１０）へ送信することが出来る。比較部（１０８）は、固定式ＩＣタグリーダ（９０）から受信した第２物品ＩＤと第１エリアＩＤとの組合せが、物品状況データの第１物品ＩＤと第１エリアＩＤと異なる場合には、第２報知要求を送信する。そして、報知装置（８０）は第２報知要求に基づいて報知する。従って、このような物品管理システム（１）は、物品（３）の使用又は保管状況が物品状況データと異なる場合に報知することが出来る。
【００１５】
本発明の物品管理システム（１）は、第１エリアに設置され、第１エリアＩＤを格納する固定式ＩＣタグリーダ（９０）を更に具備する。固定式ＩＣタグリーダ（９０）は、受信した第２物品ＩＤと格納している第１エリアＩＤとを送信する。物品管理サーバ（１０）は、固定式ＩＣタグリーダ（９０）から受信した第２物品ＩＤと第１エリアＩＤとを含む最新物品データを、物品状況データと関連づけて格納する。
【００１６】
このような物品管理システム（１）は、固定式ＩＣタグリーダ（９０）が第２物品ＩＤを受信して、第１エリアＩＤと共に物品管理サーバ（１０）へ送信することが出来る。物品管理サーバ（１０）は、物品（３）の最新状況データを取得可能となり、物品（３）の物品状況データと関連付けて格納することが出来る。
【００１７】
本発明の物品管理方法は、物品管理サーバ（１０）が物品（３）の物品状況データに基づいて、物品（３）を識別する第１物品ＩＤと、物品（３）に関する物品情報と、第１ユーザに関する第１ユーザ情報と、第１エリアに関する第１エリア情報とを送信するステップを具備する。ここで、物品状況データは、第１物品ＩＤと物品情報とを関連付ける物品データと、第１ユーザを識別する第１ユーザＩＤと第１ユーザ情報とを関連付けるユーザデータと、第１エリアを識別する第１エリアＩＤと第１エリア情報とを関連付ける第１エリアデータとに基づいて、第１物品ＩＤに第１ユーザＩＤ及び第１エリアＩＤが関連付けられたデータである。そして、ＩＣタグリーダ（２０）が受信した物品情報、第１ユーザ情報及び第１エリア情報を出力するステップと、ＩＣタグリーダ（２０）が物品（３）に取り付けられた物品識別用ＩＣタグ（３０）から物品ＩＤを受信するステップと、ＩＣタグリーダ（２０）が第１物品ＩＤと第２物品ＩＤとに基づいて第１物品の存在を検知するステップと、ＩＣタグリーダ（２０）が物品（３）の検知を出力するステップとを具備する。
【００１８】
本発明の物品管理方法は、物品管理サーバ（１０）が、第２ユーザに関する第２ユーザ情報及び第２エリアに関する第２エリア情報を送信するステップを更に具備する。ここで、第２ユーザ情報及び第２エリア情報は、物品状況データの第１物品ＩＤと関連付けられた第１時間情報より前の時を示す第２時間情報と関連付けられた履歴データである。更に、ＩＣタグリーダ（２０）が、第２ユーザ情報及び第２エリア情報を出力するステップを具備する。
【００１９】
本発明の物品管理方法は、ＩＣタグリーダ（２０）が第１ユーザに取り付けられたユーザ識別用ＩＣタグ（６０）が送信する第３ユーザＩＤ、又は第１エリアに取り付けられたエリア識別用ＩＣタグ（７０）が送信する第３エリアＩＤのうちの少なくとも一方と、第２物品ＩＤとを同時に受信するステップと、物品管理サーバ（１０）が同時に受信された第２物品ＩＤと第３ユーザＩＤとの組合せが、物品状況データに含まれる第１物品ＩＤと第１ユーザＩＤとの組合せと同じであるか否か、又は、同時に受信された第２物品ＩＤと第３エリアＩＤとの組合せが、物品状況データに含まれる第１物品ＩＤと第１エリアＩＤとの組合せと同じであるか否かとを比較するステップと、物品管理サーバ（１０）が比較の結果が同じでない場合に、第１報知要求を送信するステップと、報知装置（８０）が第１報知要求に基づいて報知するステップとを更に具備する。
【００２０】
本発明の物品管理方法は、第１エリアに設置された固定式ＩＣタグリーダ（９０）が、受信した第２物品ＩＤと格納している第１エリアＩＤとを送信するステップと、物品管理サーバ（１０）が、固定式ＩＣタグリーダから受信した第２物品ＩＤと第１エリアＩＤとの組合せと、物品状況データに含まれる第１物品ＩＤと第１エリアＩＤとの組合せとが同じであるか否かを比較するステップと、物品管理サーバ（１０）が比較するステップの比較結果が同じでない場合に、第２報知要求を送信するステップと、報知装置（８０）が第２報知要求に基づいて報知するステップとを更に具備する。
【００２１】
本発明の物品管理方法は、第１エリアに設置された固定式ＩＣタグリーダが、受信した第２物品ＩＤと格納している第１エリアＩＤとを送信するステップと、物品管理サーバ（１０）が、固定式ＩＣタグリーダ（９０）から受信した第２物品ＩＤと第１エリアＩＤとを含む最新物品データを、物品状況データと関連づけて格納するステップとを更に具備する。
【発明の効果】
【００２２】
本発明の物品管理システムは、物品を効率良く正確に捜索することが出来る。
【発明を実施するための最良の形態】
【００２３】
以下、添付図面を参照して本発明の実施の形態による物品管理システム１を説明する。
【００２４】
本発明の第１の実施の形態を説明する。図１は、本発明の第１の実施の形態による物品管理システム１の構成例を示したブロック図である。図１を参照すると、物品管理システム１は、物品管理サーバ１０と、ＩＣタグリーダ２０と、物品識別用ＩＣタグ３０と、端末装置４０とを具備する。物品管理サーバ１０と、ＩＣタグリーダ２０と、端末装置４０とは、ネットワーク５０を介して接続される。ネットワーク５０への接続方法は、有線と無線とのどちらでもよい。
【００２５】
物品管理サーバ１０は、複数の物品３と、複数の物品３に係る複数のユーザと、複数の物品３に係る複数のエリアとの全てのデータを格納する。物品３に係るユーザは、物品３を使用しているユーザと、物品３を使用予定のユーザと、物品３を捜索するユーザと、物品３を管理するユーザとを含む。物品３に係るエリアは、物品３を使用しているエリアと、物品３を使用予定のエリアと、物品３を保管するエリアとを含む。また、物品管理サーバ１０は、物品３と、ユーザと、エリアと、物品ステータスとに係る全てのデータを関連付けて、複数の物品３の現在の貸出し又は保管状況を格納する。物品ステータスは、物品３の「貸出中」又は「保管中」を示す。図２は、物品管理サーバ１０の構成例を示したブロック図である。図２を参照すると、物品管理サーバ１０は、物品データ管理部１００と、ユーザデータ管理部１０１と、エリアデータ管理部１０２と、物品状況データ管理部１０３と、送受信部１０４と、入力部１０５と、出力部１０６とを備える。
【００２６】
物品データ管理部１００は、複数の物品３に関連する全ての物品データを格納する。物品データは、物品３を識別するための「物品ＩＤ」と、物品３に関する物品情報とを含む。物品情報は、物品の名称である「物品名称」と、物品３が特に加工用治具の場合に、加工用治具が対象とする部品「対象部品」との項目を含む。更に、物品データは、物品３に係るその他のデータを含んでいてもよい。また、物品データ管理部１００は、入力部１０５からの入力及び端末装置４０からの入力に基づいて、新たな物品３に係る物品データの登録と、登録済みの物品３に係る物品データの更新とを行う。
【００２７】
ユーザデータ管理部１０１は、複数のユーザに関連する全てのユーザデータを格納する。ユーザデータは、ユーザを識別する「ユーザＩＤ」と、ユーザに関するユーザ情報とを含む。ユーザ情報は、ユーザの氏名である「氏名」と、ユーザの所属部署を示す「所属」との項目を含む。更に、ユーザデータは、ユーザに係るその他のデータを含んでいてもよい。また、ユーザデータ管理部１０１は、入力部１０５からの入力及び端末装置４０からの入力に基づいて、新たなユーザに係るユーザデータの登録と、登録済みのユーザに係るユーザデータの更新とを行う。
【００２８】
エリアデータ管理部１０２は、複数のエリアに関連する全てのエリアデータを格納する。エリアデータは、エリアを識別する「エリアＩＤ」と、エリアに関するエリア情報とを含む。エリア情報は、エリアに付けられた名称「エリア名称」と、エリアの中の更に詳細な位置を特定する「番地ＩＤ」と、番地につけられた名称「番地名称」との項目を含む。更に、エリアデータはエリアに係るその他のデータを含んでいてもよい。また、エリアデータ管理部１０２は、入力部１０５からの入力及び端末装置４０からの入力に基づいて、新たなエリアに係るエリアデータの登録と、登録済みのエリアに係るエリアデータの更新とを行う。
【００２９】
物品状況データ管理部１０３は、複数の物品３の現在の貸出し又は保管状況を示す物品状況データを格納する。物品状況データは、物品データと、ユーザデータと、エリアデータと、物品ステータスとが関連付けられたデータである。具体的に例示すると、物品状況データは、物品３の「物品ＩＤ」と、物品３の「名称」と、物品３を使用しているユーザの「氏名」と、物品３を使用している「エリア名称」と、物品ステータスの「貸出中」が関連付けられている。但し、物品状況データに含まれるデータはこれらに限定するものではない。また、物品状況データ管理部１０３は、入力部１０５からの入力、ＩＣタグリーダ２０から受信したデータ及び端末装置４０から受信したデータに基づいて、新たな物品３に係る物品状況データの登録と、登録済みの物品状況データに係る更新とを行う。
【００３０】
物品状況データ管理部１０３が格納する物品状況データを、捜索者が確認する方法を説明する。物品３の捜索者は、ＩＣタグリーダ２０又は端末装置４０を操作して、捜索対象の物品３を含む物品状況データを取得する。例えば、物品３の捜索者は物品３の「物品ＩＤ」や「物品名称」を入力することで、物品状況データを取得出来る。捜索者は、物品状況データを参照して、物品３が貸出中であるのか否かと、物品３を誰が使用しているのかと、物品３は何処で使用又は保管されているのかとを確認することが出来る。
【００３１】
また、物品状況データ管理部１０３は、ＩＣタグリーダ２０から「物品ＩＤ」を受信すると、受信したＩＤが含まれる物品状況データを抽出し、ＩＣタグリーダ２０へ送信する。例えば、物品状況データ管理部１０３が、ＩＣタグリーダ２０から「物品ＩＤ」を受信した場合は、受信した「物品ＩＤ」が含まれる物品情報（物品３の名称等）と、「物品ＩＤ」に関連付けられたユーザ情報（物品３を使用しているユーザの氏名等）と、エリア情報（エリア名称等）と、物品ステータスとを含む物品状況データを抽出し、ＩＣタグリーダ２０へ送信する。
【００３２】
送受信部１０４は、物品管理システム１が具備する各装置から物品管理サーバ１０へ送信されるデータを受信し、物品管理サーバ１０の各部へ提供する。また、物品管理サーバ１０の各部から取得したデータを、物品管理システム１が具備する各装置へ送信する。尚、本明細書中では、送受信部１０４の明示は省略する。
【００３３】
入力部１０５は、物品管理サーバ１０を操作する者が入力した情報を各部へ提供する。出力部１０６は、物品管理サーバ１０の各部から取得した情報を、操作する者が認識できるように出力する。
【００３４】
ＩＣタグリーダ２０は電波を送信し、電波に基づいて送信される物品識別用ＩＣタグ３０の「物品ＩＤ」を受信する。また、ＩＣタグリーダ２０は、物品３の捜索者の操作に基づき、物品管理サーバ１０の物品状況データ管理部１０３から、捜索対象の物品３の物品状況データを受信する。図３は、ＩＣタグリーダ２０の構成例を示したブロック図である。図３を参照すると、ＩＣタグリーダ２０は、ＩＣタグデータ取得部２１と、物品状況データ取得部２４と、判定部２５と、物品状況データ更新部２６と、入力部２７と、出力部２８とを備える。
【００３５】
ＩＣタグデータ取得部２１は、電波を送信し、電波に基づいて送信される物品識別用ＩＣタグ３０の「物品ＩＤ」を受信する。ＩＣタグデータ取得部２１は、電波送信部２２と、ＩＤ受信部２３とを備える。
【００３６】
電波送信部２２は電波を送信する。電波送信部２２が送信する電波に基づいて、物品識別用ＩＣタグ３０は、「物品ＩＤ」を送信する。ＩＤ受信部２３は、物品識別用ＩＣタグ３０が送信する「物品ＩＤ」を受信する。ＩＤ受信部２３は、「物品ＩＤ」が複数含まれていても受信することができる。ＩＤ受信部２３は、受信した「物品ＩＤ」を物品状況データ取得部２４及び判定部２５へ提供する。
【００３７】
物品状況データ取得部２４は、ＩＤ受信部２３より「物品ＩＤ」を取得する。物品状況データ取得部２４は、取得した「物品ＩＤ」を物品管理サーバ１０へ送信する。物品状況データ取得部２４は、物品管理サーバ１０の物品状況データ管理部１０３から、送信した「物品ＩＤ」が含まれる物品状況データを受信する。物品状況データ取得部２４は、受信した物品状況データを出力部２８へ提供する。出力部２８は、受信した物品状況データを物品３の捜索者が認識できるように出力する。捜索者は、ＩＣタグリーダ２０が物品識別用ＩＣタグ３０から取得した情報に基づいて、物品３の情報を認識することが出来る。
【００３８】
また、物品状況データ取得部２４は、入力部２７からの物品３の捜索者の操作に基づき、「物品ＩＤ」を取得する。そして、物品状況データ取得部２４は、取得した「物品ＩＤ」を物品管理サーバ１０へ送信する。物品状況データ取得部２４は、物品状況データ管理部１０３から、送信した「物品ＩＤ」が含まれる物品状況データを受信する。物品状況データ取得部２４は、受信した物品状況データを判定部２５及び出力部２８へ提供する。出力部２８は、受信した物品状況データを物品３の捜索者が認識できるように出力する。これによって捜索者は、出力された物品３の物品状況データに基づいて物品３の現在の状況が把握出来るため、物品３を効率良く捜索することが出来る。
【００３９】
判定部２５は、物品状況データ取得部２４から捜索者の入力操作に基づく「物品ＩＤ」を含む物品状況データを取得し、物品確認用データとして格納する。また、判定部２５は、ＩＤ受信部２３から物品識別用ＩＣタグ３０に基づく「物品ＩＤ」を取得する。判定部２５は、物品確認用データに含まれる「物品ＩＤ」と、物品識別用ＩＣタグ３０に基づきＩＤ受信部２３から取得した「物品ＩＤ」とが同じであるか否かを判定する。判定部２５は、出力部２８へ判定結果を提供する。出力部２８は、捜索者が認識出来るように判定結果を出力する。即ち、捜索者は、この出力に基づいて、捜索している物品３であることを正確に認識することが出来る。また、判定部２５は、同じであることを判定した場合、更新要求を物品状況データ更新部２６へ提供することができる。更に、判定部２５は、物品状況データを端末装置４０の物品状況データ取得部４１から受信してもよい。判定部２５は、物品状況データ取得部４１から受信した物品状況データを物品確認用データとして格納することが出来る。
【００４０】
物品状況データ更新部２６は、物品３に係る物品状況データを更新するための物品データ（例えば「物品ＩＤ」）と、ユーザデータ（例えば「ユーザＩＤ」）と、エリアデータ（例えば「エリアＩＤ」）とを、捜索者の入力に基づき格納する。物品状況更新部２５は、物品３の捜索が終了したときの捜索者の操作、又は判定部２５からの更新要求に基づいて、格納しているこれら物品データ、ユーザデータ、及びエリアデータとを物品状況データ管理部１０３へ送信する。尚、物品状況データ管理部１０３は、物品状況データ更新部２６から受信したこのデータに基づいて物品状況データを更新する。
【００４１】
入力部２７は、ＩＣタグリーダ２０を操作する者が入力した情報を各部へ提供する。出力部２８は、ＩＣタグリーダ２０の各部から取得した情報を、操作する者が認識できるように出力する。
【００４２】
物品識別用ＩＣタグ３０は、物品データ管理部１００が有する物品３に固有の「物品ＩＤ」を含む。物品識別用ＩＣタグ３０は、物品３に取り付けられ、ＩＣタグリーダ２０が送信した電波を受信する。物品識別用ＩＣタグ３０は、受信した電波に基づき「物品ＩＤ」を送信する。尚、物品識別用ＩＣタグ３０は、周知のＩＣタグ技術を用いることが出来る。
【００４３】
端末装置４０は、ネットワーク５０を介して物品管理サーバ１０へ接続する。図４は、端末装置４０の構成例を示したブロック図である。図４を参照すると、端末装置４０は、物品状況データ取得部４１と、データ更新部４２と、入力部４７と、出力部４８とを備える。
【００４４】
物品状況データ取得部４１は、物品３の捜索者の操作に基づき、物品管理サーバ１０の物品状況データ管理部１０３から、捜索対象の物品３の貸出し及び保管状況に係る物品状況データを受信する。物品状況データ取得部４１は、受信した物品状況データを出力部４８へ提供する。また、物品状況データ取得部４１は、受信した物品状況データをＩＣタグリーダ２０の判定部２５へ送信してもよい。出力部４８は、受信した物品状況データを物品３の捜索者が認識できるように出力する。捜索者は、出力された物品３の物品状況データに基づいて物品３の現在の状況が把握出来るため、物品３を効率良く捜索することが出来る。
【００４５】
データ更新部４２は、物品状況データ管理部１０３が格納する、物品データ、ユーザデータ及びエリアデータを登録及び更新することが出来る。データ更新部４２は、物品データ更新部４３と、ユーザデータ更新部４４と、エリアデータ更新部４５と、物品状況データ更新部４６とを備える。
【００４６】
物品データ更新部４３は、物品データ管理部１００の物品データを登録及び変更することが出来る。ユーザデータ更新部４４は、ユーザデータ管理部１０１のユーザデータを登録及び更新することが出来る。エリアデータ更新部４５は、エリアデータ管理部１０２のエリアデータを登録及び更新することが出来る。
【００４７】
物品状況データ更新部４６は、捜索対象の物品３の物品状況データを更新することが出来る。物品状況データ更新部４６は、捜索対象の物品３の物品状況データを更新するための物品データ（例えば「物品ＩＤ」）と、ユーザデータ（例えば「ユーザＩＤ」）と、エリアデータ（例えば「エリアＩＤ」）とを格納する。物品状況データ更新部４６は、物品３の捜索が終了したときの捜索者の操作に基づいて、格納している物品データ、ユーザデータ及びエリアデータを物品状況データ管理部１０３へ送信する。尚、物品状況データ管理部１０３は、物品状況データ更新部４６から受信したデータに基づいて物品状況データを更新する。
【００４８】
入力部４７は、端末装置４０を操作する者が入力した情報を各部へ提供する。出力部４８は、端末装置４０の各部から取得した情報を、操作する者が認識できるように出力する。
【００４９】
本発明の物品管理システム１は、ＩＣタグリーダ２０と、物品識別用ＩＣタグ３０と、端末装置４０とを複数含んでいてもよい。
【００５０】
本発明の実施の形態による物品管理システム１は、コンピュータを用いて実現可能である。図５は、物品管理システム１の実施の形態における、ハードウエア構成例を示すブロック図である。図５を参照すると、本発明の物品管理システム１は、ＣＰＵ（Ｃｅｎｔｒａｌ  Ｐｒｏｃｅｓｓｉｎｇ  Ｕｎｉｔ；中央処理装置）２００と、記憶装置２０１と、入力装置２０２と、出力装置２０３と、各装置を接続するバス２０４とを備えるコンピュータシステムで構成される。
【００５１】
ＣＰＵ２００は、記憶装置２０１に格納されている本発明の物品管理システム１に係る演算処理及び制御処理を行う。記憶装置２０１は、ハードディスクやメモリなど、情報の記録を行う装置である。記憶装置２０１は、ＣＤ−ＲＯＭやＤＶＤ等のコンピュータ読み取り可能な記憶媒体から読み取られたプログラム、入力装置２０２から入力された信号やプログラム、及びＣＰＵ２００の処理結果を格納する。入力装置２０２は、マウス、キーボード、マイクロフォンなど、操作者がコマンド及び信号を入力することが出来る装置である。出力装置２０３は、ディスプレイ、スピーカなど、操作者に出力結果を認識させる装置である。尚、本発明はハードウエア構成例と示したものに限定されず、各部はハードウエアとソフトウエアとを単独又は組み合わせて実現することが出来る。
【００５２】
図６は、本発明の物品管理システム１の第１の実施の形態による、捜索者が物品３を捜索する処理動作を示したフローチャートである。図６を参照して、本発明の第１の実施の形態による処理動作を説明する。
【００５３】
ＩＣタグリーダ２０の物品状況データ更新部２６又は端末装置４０の物品状況データ更新部４６は、捜索者の操作に基づき、物品３の捜索が終了したときに物品状況データを更新する物品データ、ユーザデータ及びエリアデータを格納する（ステップＡ０１）。更新するデータは、物品３の「物品ＩＤ」と、捜索者の「ユーザＩＤ」と、捜索者が物品３を使用する「エリアＩＤ」が例示される。これらの「物品ＩＤ」、「ユーザＩＤ」及び「エリアＩＤ」は、物品３の捜索が終了したときに物品状況データ管理部１０３へ送信され、物品３の物品状況データを更新するために使用される。
【００５４】
ＩＣタグリーダ２０の物品状況データ取得部２４又は端末装置４０の物品状況データ取得部４１は、捜索者の操作に基づき、物品管理サーバ１０へ捜索対象の物品３の「物品ＩＤ」を送信する（ステップＡ０２）。
【００５５】
物品管理サーバ１０は、「物品ＩＤ」を受信する。物品状況データ管理部１０３は、捜索対象の物品３の「物品ＩＤ」を含む物品状況データを抽出し、ＩＣタグリーダ２０又は端末装置４０へ送信する（ステップＡ０３）。
【００５６】
ＩＣタグリーダ２０の物品状況データ取得部２４又は端末装置４０の物品状況データ取得部４１は、捜索対象の物品３の「物品ＩＤ」を含む物品状況データを受信する。物品状況データ取得部２４又は物品状況データ取得部４１は、物品状況データを判定部２５へ提供する。判定部２５は、物品状況データを物品確認用データとして格納する（ステップＡ０４）。
【００５７】
ＩＣタグリーダ２０の出力部２８又は端末装置４０の出力部４８は、捜索対象の物品３の物品状況データを捜索者が認識出来るように出力する（ステップＡ０５）。捜索者は、取得した物品３の物品状況データに基づいて物品３を捜索する。捜索者は、例えば物品３の物品ステータスが「貸出中」の場合は、物品３を使用しているユーザの「氏名」や使用している「エリア名称」に基づいて物品３が捜索出来る。また、物品３の物品ステータスが「保管中」の場合は、捜索者は、例えば物品３が保管されている「エリア名称」に基づいて物品３を捜索出来る。
【００５８】
捜索者は、捜索対象の物品３と予測される物品３を見つけた場合、ＩＣタグリーダ２０を用いて物品３の確認を行う。ＩＣタグリーダ２０の電波送信部２２は、捜索者の操作に基づき電波を送信する（ステップＡ０６）。
【００５９】
ＩＣタグリーダ２０のＩＤ受信部２３は、送信した電波に基づいて、物品識別用ＩＣタグ３０が有する「物品ＩＤ」を受信する。ＩＤ受信部２３は、受信した「物品ＩＤ」を物品状況データ取得部２４及び判定部２５へ提供する。そして、ＩＣタグリーダ２０の物品状況データ取得部２４は、受信した「物品ＩＤ」を物品管理サーバ１０の物品状況データ管理部１０３へ送信する。更に、判定部２５は、物品確認用データの「物品ＩＤ」とＩＤ受信部２３から受信した「物品ＩＤ」とが同じであるか否かを判定する（ステップＡ０７）。
【００６０】
物品状況データ管理部１０３は、ＩＣタグリーダ２０から受信した「物品ＩＤ」が含まれる物品状況データを抽出し、ＩＣタグリーダ２０へ送信する（ステップＡ０８）。
【００６１】
ＩＣタグリーダ２０の物品状況データ取得部２４は、物品管理サーバ１０から物品状況データを受信する。ＩＣタグリーダ２０の出力部２８は、受信した物品状況データを捜索者が認識出来るように出力する。また、出力部２８は、判定部２５の判定結果を同様に出力する（ステップＡ０９）。このとき、捜索者はＩＣタグリーダ２０の出力データを参照して、捜索対象の物品３であることを確認出来るため、正確に物品３を特定することが可能である。尚、判定部２５は、物品確認用データの「物品ＩＤ」とＩＤ受信部２３から受信した「物品ＩＤ」とが同じである判定結果の場合、更新要求を物品状況データ更新部２６へ提供できる。
【００６２】
ＩＣタグリーダ２０の物品状況データ更新部２６又は端末装置４０の物品状況データ更新部４６は、物品３の捜索が終了した捜索者の操作に基づいて、物品３の物品状況データを更新するために、格納している「物品ＩＤ」、「ユーザＩＤ」及び「エリアＩＤ」を物品管理サーバ１０へ送信する。もしくは、判定部２５が更新要求を提供する場合は、物品状況データ更新部２６は、格納している「物品ＩＤ」、「ユーザＩＤ」及び「エリアＩＤ」を物品管理サーバ１０へ送信する。物品状況データ管理部１０３は、物品状況データの捜索が終了した物品３の物品データと、エリアデータと、ユーザデータとを、受信した「物品ＩＤ」、「エリアＩＤ」及び「ユーザＩＤ」に基づき更新する（ステップＡ１０）。
【００６３】
本発明の第１の実施の形態による物品管理システム１は、物品管理サーバ１０が、物品３と、物品３に係るユーザと、物品３に係るエリアと、物品ステータスとを関連付けた物品状況データを一括して管理している。従って、物品３の捜索者は、物品３が貸出中であるか否かと、物品３を使用しているユーザと、物品３を使用又は保管しているエリアとの、物品３に関連する幅広い情報を一度に得ることが出来るため、物品３を効率良く捜索することが可能である。更に、捜索者は物品３に取り付けられた物品識別用ＩＣタグ３０によって物品３を特定することが出来るため、外観では判別し難い物品３でも正確に捜索することが出来る。即ち、本発明の物品管理システム１は、物品３を効率良く正確に捜索することが可能となる。
【００６４】
次に、本発明の物品管理システム１の第２の実施の形態を説明する。本発明の物品管理システム１の第２の実施の形態は、物品３の過去の貸出し状況を取得できる機能を第１の実施の形態に更に加えたものである。物品３の過去の貸出し状況は、過去に物品３を使用したユーザと、過去に物品３を使用したエリアと、貸出し時間とを含む。第２の実施の形態による、物品３の過去の貸出し状況を取得できる機能は、物品管理サーバ１０の構成に基づくものである。従って、物品管理サーバ１０の構成について以下説明をする。その他の構成は、第１の実施の形態と同様であるため、同じ構成には同じ符号を用いて説明を省略するが、第１の実施の形態に新たに追加される機能について説明を加える。
【００６５】
本発明の第２の実施の形態による物品管理サーバ１０は、第１の実施の形態と同様に、複数の物品３と、複数の物品３に係る複数のユーザと、複数の物品３に係る複数のエリアとの全てのデータを格納する。更に、物品管理サーバ１０は、各々のデータと、物品状況ステータスとを関連付けた複数の物品３の現在の貸出し及び保管状況に、貸出し時間を関連付けて格納する。更に、本発明の第２の実施の形態の物品管理サーバ１０は、複数の物品３の過去の貸出し状況を格納する。複数の物品３の過去の貸出し状況は、貸出し時間が関連付けられている。図７は、本発明の第２の実施の形態による物品管理サーバ１０の構成例を示したブロック図である。図７を参照すると、物品管理サーバ１０は、物品データ管理部１００と、ユーザデータ管理部１０１と、エリアデータ管理部１０２と、物品状況データ管理部１０３と、送受信部１０４と、入力部１０５と、出力部１０６と、履歴データ管理部１０７とを備える。
【００６６】
物品データ管理部１００と、ユーザデータ管理部１０１と、エリアデータ管理部１０２と、送受信部１０４と、入力部１０５と、出力部１０６とは、第１の実施の形態と同様であるため説明を省略する。
【００６７】
物品状況データ管理部１０３は、第１の実施の形態と同様に、物品３の現在の貸出し及び保管状況を示す物品状況データを格納する。更に、物品状況データ管理部１０３は、物品状況データに、物品３の貸出し時間を関連付けてを格納する。物品３の貸出し時間は、ユーザの入力に基づき設定される。また、物品状況データ管理部１０３は、第１の実施の形態と同様に、ＩＣタグリーダ２０又は端末装置４０から「物品ＩＤ」を受信すると、受信したＩＤが含まれる物品状況データ抽出し、ＩＣタグリーダ２０へ送信する。本発明の第２の実施の形態では、更に物品状況データ管理部１０３は、物品３の捜索が終了した後で物品３に関連するデータを更新するとき、更新される前の物品データ、ユーザデータ、エリアデータ及び物品３の貸出し時間を履歴データ管理部１０７へ提供する。提供するデータは、「物品ＩＤ」、「物品名称」、「ユーザＩＤ」、「氏名」、「エリアＩＤ」、「エリア名称」及び「貸出し時間」が例示される。
【００６８】
履歴データ管理部１０７は、過去に物品３を使用したユーザと、過去に物品３を使用したエリアと、物品３の貸出し時間との履歴を格納する。履歴データ管理部１０７が格納する物品３の貸出し時間は、物品状況データ管理部１０３が格納する貸出し時間よりも前の時間を示す。履歴データ管理部１０７は、物品状況データが更新される前の物品データ、ユーザデータ、エリアデータ及び物品３の貸出し時間を物品状況データ管理部１０３から取得し、履歴データとして格納する。履歴データは、「物品ＩＤ」、「物品名称」、「ユーザＩＤ」、「氏名」、「エリアＩＤ」、「エリア名称」及び「貸出し時間」が例示される。履歴データ管理部１０７は、ＩＣタグリーダ２０又は端末装置４０から物品３の物品データ、例えば「物品ＩＤ」や「物品名称」、を受信すると、受信した物品データを含む履歴データをＩＣタグリーダ２０又は端末装置４０へ送信する。
【００６９】
ＩＣタグリーダ２０の物品状況データ取得部２４及び端末装置４０の物品状況データ取得部４１は、履歴データを受信する。そして、出力部２８及び出力部４８は、履歴データを出力する。尚、捜索者は、履歴データに基づいて、過去に物品３を使用したユーザと、過去に物品３が使用されていたエリアを確認することが出来る。また、物品状況データ取得部２４及び物品状況データ取得部４１は、判定部２５へ提供することが出来る。判定部２５は、第１の実施の形態と同様に、履歴データを物品確認用データとして格納する。
【００７０】
図８は、本発明の物品管理システム１の第２の実施の形態による、捜索者が履歴データに基づいて物品３を捜索する処理動作を示したフローチャートである。図８を参照して、本発明の第２の実施の形態による、処理動作を説明する。
【００７１】
ＩＣタグリーダ２０の物品状況データ更新部２６又は端末装置４０の物品状況データ更新部４６は、捜索者の操作に基づき、物品３の捜索が終了したときに物品状況データを更新する物品データ、ユーザデータ及びエリアデータを格納する（ステップＢ０１）。
【００７２】
ＩＣタグリーダ２０の物品状況データ取得部２４又は端末装置４０の物品状況データ取得部４１は、捜索者の操作に基づき、物品管理サーバ１０へ捜索対象の物品３の履歴データを取得するための「物品ＩＤ」を送信する（ステップＢ０２）。
【００７３】
物品管理サーバ１０は、「物品ＩＤ」を受信する。履歴データ管理部１０７は、物品３の「物品ＩＤ」を含む履歴データを抽出し、ＩＣタグリーダ２０又は端末装置４０へ送信する（ステップＢ０３）。
【００７４】
ＩＣタグリーダ２０の物品状況データ取得部２４又は端末装置４０の物品状況データ取得部４１は、物品３の「物品ＩＤ」を含む履歴データを受信する。物品状況データ取得部２４又は物品状況データ取得部４１は、履歴データを判定部２５へ提供する。判定部２５は、物品状況データを物品確認用データとして格納する（ステップＢ０４）。
【００７５】
ＩＣタグリーダ２０の出力部２８又は端末装置４０の出力部４８は、物品３の履歴データを捜索者が認識出来るように出力する（ステップＢ０５）。捜索者は、取得した物品３の履歴データに基づいて物品３を捜索する。具体的には、捜索者は物品３を過去に使用していたユーザや、過去に物品３が使用されていたエリアに基づいて物品３が捜索出来る。
【００７６】
捜索者は、捜索対象の物品３と予測される物品３を見つけた場合、ＩＣタグリーダ２０を用いて物品３の確認を行う。物品３の確認方法は、前述した図６のステップＡ０６からステップＡ０９を行う（ステップＢ０６）。
【００７７】
捜索者はＩＣタグリーダ２０の出力データを参照して、捜索対象の物品３であることを確認する。ＩＣタグリーダ２０の物品状況データ更新部２６又は端末装置４０の物品状況データ更新部４６は、物品３の捜索が終了した捜索者の操作に基づいて、物品３の物品状況データを更新するために、格納している「物品ＩＤ」、「ユーザＩＤ」及び「エリアＩＤ」を物品管理サーバ１０へ送信する。もしくは、判定部２５が更新要求を提供する場合は、物品状況データ更新部２６は、格納している「物品ＩＤ」、「ユーザＩＤ」及び「エリアＩＤ」を物品管理サーバ１０へ送信する。物品状況データ管理部１０３は、物品状況データの捜索が終了した物品３の物品データと、エリアデータと、ユーザデータとを、受信した「物品ＩＤ」、「エリアＩＤ」及び「ユーザＩＤ」に基づき更新する（ステップＢ０７）。
【００７８】
物品状況データ管理部１０３は、捜索が終了した更新前の物品３の、物品データ（例えば「物品ＩＤ」、「物品名称」）と、ユーザデータ（例えば「ユーザＩＤ」、「氏名」）と、エリアデータ（例えば「エリアＩＤ」、「エリア名称」）とを履歴データ管理部１０７へ提供する。履歴データ管理部１０７は、捜索が終了した物品３のこれらデータを履歴データに格納する（ステップＢ０８）。
【００７９】
本発明の第２の実施の形態による物品管理システム１は、物品３の過去の貸出し状況を提供することが出来る。従って、物品３の捜索者は、現在の物品の貸出し及び保管状況から物品３を見つけることが出来なくても、過去の貸出し状況に基づいて更に捜索することが可能になる。即ち、本発明の物品管理システム１は、履歴データに基づいて物品３を更に捜索し易くすることが出来る。
【００８０】
次に、本発明の第３の実施の形態による物品管理システム１を説明する。本発明の物品管理システム１の第３の実施の形態は、物品３が決められた場所から移動した場合、又は物品３を使用する予定でない者が使用している場合に報知することが可能である。第３の実施の形態は、この報知する機能を第１及び第２の実施の形態に更に加えたものである。第３の実施の形態による、第１及び第２の実施の形態と異なる構成について以下説明をする。尚、第１及び第２の実施の形態と同じ構成には同じ符号を用いるものとし、同じ機能の説明は省略する。
【００８１】
図９は、本発明の第３の実施の形態による物品管理システム１の構成例を示した図である。図９を参照すると、物品管理システム１は、物品管理サーバ１０と、ＩＣタグリーダ２０と、物品識別用ＩＣタグ３０と、端末装置４０と、ユーザ識別用ＩＣタグ６０と、エリア識別用ＩＣタグ７０と、報知装置８０とを具備する。物品管理サーバ１０と、ＩＣタグリーダ２０と、端末装置４０と、報知装置８０とは、ネットワーク５０を介して接続される。ネットワーク５０への接続方法は、有線と無線とのどちらでもよい。
【００８２】
物品識別用ＩＣタグ３０と、端末装置４０とは第１及び第２の実施の形態と同様であるため、説明を省略する。
【００８３】
本発明の第３の実施の形態による物品管理サーバ１０を説明する。第３の実施の形態は、第１及び第２の実施の形態に報知する機能を追加したものであるが、本説明では第１の実施の形態に報知する機能が追加された場合の説明をする。図１０は、本発明の第３の実施の形態による、物品管理サーバ１０の構成例を示したブロック図である。図１０を参照すると、物品管理サーバ１０は、物品データ管理部１００と、ユーザデータ管理部１０１と、エリアデータ管理部１０２と、物品状況データ管理部１０３と、送受信部１０４と、入力部１０５と、出力部１０６と、比較部１０８と、報知制御部１０９とを備える。
【００８４】
物品データ管理部１００と、ユーザデータ管理部１０１と、エリアデータ管理部１０２と、送受信部１０４と、入力部１０５と、出力部１０６とは、第１の実施の形態と同様であるため説明を省略する。
【００８５】
物品状況データ管理部１０３は、本発明の第１の実施の形態と同様の機能の他に、更に次の機能を有する。物品状況データ管理部１０３は、ＩＣタグリーダ２０から「物品ＩＤ」を取得すると、「物品ＩＤ」が含まれる物品状況データを抽出し、比較部１０８へ提供する。
【００８６】
比較部１０８は、ＩＣタグリーダ２０から送信される「物品ＩＤ」と、「ユーザＩＤ」と、エリアＩＤ」のうちで「物品ＩＤ」を含む２つ以上のＩＤ、例えば「物品ＩＤ」及び「ユーザＩＤ」の組合せ、「物品ＩＤ」及び「エリアＩＤ」の組合せ、「物品ＩＤ」と「ユーザＩＤ」と「エリアＩＤ」との組合せ、を受信する。比較部１０８は、各ＩＤを同時に受信した場合に組合せであると認識する。尚、比較部１０８が同時と認識する方法は、比較部１０８がタイマを有して一定時間以内に受信したＩＤを同時とする方法や、ＩＣタグリーダ２０が同時に受信したことを比較部１０８へ各ＩＤと共に提供する方法が考えられる。また、比較部１０８はＩＣタグリーダ２０から受信した「物品ＩＤ」と同じ「物品ＩＤ」を含む物品状況データを、物品状況データ管理部１０３から取得する。そして、比較部１０８はＩＣタグリーダ２０から受信した「物品ＩＤ」を含む２つ以上のＩＤと、物品状況データ管理部１０３から取得した同じ「物品ＩＤ」を含む物品状況データとが同じであるか否かを比較する。比較部１０８は、比較の結果が同じでない場合、報知制御部１０９へ報知の要求を提供する。比較部１０８は、比較の結果が同じである場合、報知制御部１０９へ報知の要求を行わない。
【００８７】
報知制御部１０９は、比較部１０８から報知の要求を取得する。報知制御部１０９は、報知の要求を取得すると、報知装置８０へ送信する。
【００８８】
ＩＣタグリーダ２０は、第１及び第２の実施の形態と同様の機能の他に、更に次の機能を有する。ＩＣタグリーダ取得部２１は、電波を送信すると、電波に基づいて送信されるユーザ識別用ＩＣタグ６０の「ユーザＩＤ」及びエリア識別用ＩＣタグ７０の「エリアＩＤ」を受信する。ＩＤ受信部２３は、「ユーザＩＤ」と「エリアＩＤ」とを、「物品ＩＤ」同様に、複数含まれていても受信することができる。ＩＤ受信部２３は、受信した「物品ＩＤ」、「ユーザＩＤ」及び「エリアＩＤ」を物品状況データ取得部２４へ提供する。物品状況データ取得部２４は、取得した各ＩＤを物品管理サーバ１０へ送信する。物品状況データ取得部２４は、物品管理サーバ１０の物品状況データ管理部１０３から、送信した「物品ＩＤ」、「ユーザＩＤ」及び「エリアＩＤ」の各々が含まれる物品状況データを受信する。ＩＣタグリーダ２０の出力部２８は、受信した物品状況データを物品３の捜索者が認識できるように出力する。尚、ＩＣタグリーダ２０がタイマを有して、一定時間以内に受信したＩＤを同時に受信したＩＤとして、物品管理サーバ１０へ提供してもよい。
【００８９】
ユーザ識別用ＩＣタグ６０は、ユーザデータ管理部１０１が有するユーザに固有の「ユーザＩＤ」を含む。ユーザ識別用ＩＣタグ６０は、ユーザに取り付けられ、ＩＣタグリーダ２０が送信した電波を受信する。ユーザ識別用ＩＣタグ６０は、受信した電波に基づき「ユーザＩＤ」を送信する。
【００９０】
エリア識別用ＩＣタグ７０は、エリアデータ管理部１０２が有するエリアに固有の「エリアＩＤ」を含む。更に、エリア識別用ＩＣタグ７０はエリアの中で更に詳細な位置を示す「番地ＩＤ」を含んでいてもよい。エリア識別用ＩＣタグ７０は、所定のエリアに取り付けられ、ＩＣタグリーダ２０が送信した電波を受信する。エリア識別用ＩＣタグ７０は、受信した電波に基づき「エリアＩＤ」を送信する。エリア識別用ＩＣタグ７０は、受信した電波に基づき「番地ＩＤ」を送信してもよい。尚、ユーザ識別用ＩＣタグ６０と、エリア識別用ＩＣタグ７０とは、物品識別用ＩＣタグ３０と同様に、周知のＩＣタグ技術を用いることが出来る。更に、本発明の物品管理システム１は、ユーザ識別用ＩＣタグ６０と、エリア識別用ＩＣタグ７０とを複数含んでいてもよい。
【００９１】
報知装置８０は、人が認識できる様に報知する装置である。報知の方法は、音声、光、表示、バイブレーションが例示される。報知装置８０は、報知制御部１０９から報知の要求を受信すると報知する。尚、報知装置８０は、物品管理サーバ１０、ＩＣタグリーダ２０、物品識別用ＩＣタグ３０、端末装置４０、ユーザ識別用ＩＣタグ６０及びエリア識別用ＩＣタグ７０に含まれていてもよい。
【００９２】
図１１は、本発明の物品管理システム１の第３の実施の形態による、報知装置８０が報知する処理動作を示したフローチャートである。図１１を参照して、本発明の第３の実施の形態による、処理動作を説明する。尚、ここでは、物品３の管理者がＩＣタグリーダ２０を操作して、物品３が正しいユーザに使用されているのか、物品３が正しいエリアで使用されているのかを監視する場合を説明する。また、ＩＣタグリーダ２０の判定部２５は、物品確認用データを格納していないとする。
【００９３】
ＩＣタグリーダ２０の電波受信部２２は、物品３の管理者の操作に基づいて、電波を送信する（ステップＣ０１）。
【００９４】
ＩＣタグリーダ２０のＩＤ受信部２３は、少なくとも物品識別用ＩＣタグ３０の「物品ＩＤ」を受信し、更に、ユーザ識別用ＩＣタグ６０の「ユーザＩＤ」とエリア識別用ＩＣタグ７０の「エリアＩＤ」とのどちらか一方又は両方を同時に受信する（ステップＣ０２）。
【００９５】
ＩＣタグリーダ２０のＩＤ受信部２３は、受信した各ＩＤを物品状況データ取得部２４へ提供する。物品状況データ取得部２４は各ＩＤを物品管理サーバ１０へ送信する（ステップＣ０３）。
【００９６】
物品状況データ管理部１０３は、受信した「物品ＩＤ」を含む物品状況データを抽出する。物品状況データ管理部１０３は、「物品ＩＤ」を含む物品状況データを比較部１０８へ提供する（ステップＣ０４）。
【００９７】
比較部１０８は、ＩＣタグリーダ２０の物品状況データ取得部２４が送信した「物品ＩＤ（Ａ００１とする）」を受信する。更に、比較部１０８は、物品状況データ取得部２４が送信した「ユーザＩＤ（Ｂ００１とする）」と、「エリアＩＤ（Ｃ００１とする）」との一方又は両方を受信する。また、比較部１０８は同じ「物品ＩＤ（Ａ００１）」を含む物品状況データを、物品状況データ管理部１０３から取得する。そして、比較部１０８はＩＣタグリーダ２０の物品状況データ取得部２４から受信した「物品ＩＤ（Ａ００１）」と、「ユーザＩＤ（Ｂ００１）」と、「エリアＩＤ（Ｃ００１）」と、物品状況データ管理部１０３から取得した同じ「物品ＩＤ（Ａ００１）」を含む物品状況データとを比較する。物品状況データは、「物品ＩＤ（Ａ００１）」に関連して、「ユーザＩＤ（Ｂ００２とする）」と、「エリアＩＤ（Ｃ００２とする）」を有しているとする。比較部１０８は、同じ「物品ＩＤ（Ａ００１）」に関連する、「ユーザＩＤ（Ｂ００１）」と「ユーザＩＤ（Ｂ００２）」が同じでＩＤであるか否かを比較する。同様に、比較部１０８は、「エリアＩＤ（Ｃ００１）」と「エリアＩＤ（Ｃ００２）」とが同じＩＤであるか否かを比較する（ステップＣ０５）。
【００９８】
ステップＣ０５における比較の結果が同じである場合は、報知を行わないため処理を終了する。ステップＣ０５における比較の結果が異なる場合は、ステップＣ０７へ進む（ステップＣ０６）。
【００９９】
比較部１０８は、比較の結果が異なる場合、報知制御部１０９へ報知の要求を提供する。報知制御部１０９は、報知の要求を取得すると、報知装置８０へ報知の要求を送信する。報知装置８０は報知要求を受信し、報知する（ステップＣ０７）。
【０１００】
本発明の第３の実施の形態による物品管理システム１は、物品３の現在の貸出し及び保管状況を示している物品状況データと、ＩＣタグリーダ２０で受信した各ＩＤとが異なる場合、報知することが出来る。従って、本発明の物品管理システム１は、物品３が決められた場所から移動した場合、又は物品３を使用する予定でない者が使用している場合に報知することが可能となる。即ち、本発明の物品管理システム１は、物品３の移動及び使用を制限することができ、物品３の紛失及び盗難を防ぐ効果を奏する。
【０１０１】
次に、本発明の第４の実施の形態を説明する。本発明の第４の実施の形態は、本発明の第１及び第２の実施の形態に、固定式ＩＣタグリーダ９０を更に加えたしたものである。本発明の第４の実施の形態による物品管理システム１は、固定式ＩＣタグリーダ９０を加えることで、物品３の最新状況を管理することが可能である。第４の実施の形態による、第１及び第２の実施の形態と異なる構成について以下説明をする。尚、第１及び第２の実施の形態と同じ構成には同じ符号を用いるものとし、同じ機能の説明は省略する。
【０１０２】
図１２は、本発明の第４の実施の形態による物品管理システム１の構成例を示したブロック図である。図１２を参照すると、物品管理システム１は、物品管理サーバ１０と、ＩＣタグリーダ２０と、固定式ＩＣタグリーダ９０と、物品識別用ＩＣタグ３０と、端末装置４０とを具備する。物品管理サーバ１０と、ＩＣタグリーダ２０と、固定式ＩＣタグリーダ９０と、端末装置４０とは、ネットワーク５０を介して接続される。ネットワーク５０への接続方法は、有線と無線とのどちらでもよい。
【０１０３】
ＩＣタグリーダ２０と、物品識別用ＩＣタグ３０と、端末装置４０とは第１及び第２の実施の形態と同様であるため、説明を省略する。
【０１０４】
固定式ＩＣタグリーダ９０は、物品３に係るエリアに基づいて設置され、物品３に係る「エリアＩＤ」を有している。固定式ＩＣタグリーダ９０は、電波を定期的に送信する。固定式ＩＣタグリーダ９０が電波を送信するタイミングは、予め固定式ＩＣタグリーダ９０に格納される。固定式ＩＣタグリーダ９０は、電波に基づいて送信される物品識別用ＩＣタグ３０の「物品ＩＤ」を受信する。このとき、固定式ＩＣタグリーダ９０は、「物品ＩＤ」が複数含まれていても受信することができる。固定式ＩＣタグリーダ９０は、受信した「物品ＩＤ」と、格納している「エリアＩＤ」とを物品管理サーバ１０へ送信する。つまり、固定式ＩＣタグリーダ９０は、定期的に物品３が何処にあるかを物品管理サーバ１０へ送信することが出来る。尚、固定式ＩＣタグリーダ９０は、エリアが複数ある場合は各エリアに設置されていることが好ましい。
【０１０５】
物品管理サーバ１０は、物品状況データ管理部１０３の機能が異なる。その他の物品管理サーバ１０に係る、物品データ管理部１００と、ユーザデータ管理部１０１と、エリアデータ管理部１０２と、送受信部１０４と、入力部１０５と、出力部１０６とは、第１及び第２の実施の形態と同様であるため説明を省略する。
【０１０６】
物品状況データ管理部１０３は、固定式ＩＣタグリーダ９０から「物品ＩＤ」と「エリアＩＤ」とを定期的に受信する。物品状況データ管理部１０３は、固定式ＩＣタグリーダ９０から取得した「物品ＩＤ」と「エリアＩＤ」とを物品３の最新状況データとし、現在の物品３の貸出し及び保管状況を管理する物品状況データと関連付けて格納する。物品状況データ管理部１０３は、ＩＣタグリーダ２０又は端末装置４０からの物品状況データの取得要求に応じて、物品状況データ及び最新状況データを送信する。尚、ＩＣタグリーダ２０又は端末装置４０は、物品３の物品状況データと最新状況データとを受信し出力する。
【０１０７】
本発明の第４の実施の形態による物品管理システム１は、「エリアＩＤ」を有する固定式ＩＣタグリーダ９０が、定期的に物品３の「物品ＩＤ」を取得することが出来るため、物品３の最新の状況を提供することが出来る。従って、物品３の捜索者は、現在の物品３の貸出し及び保管状況に加え、更に最新状況データに基づいて、効率良く的確に物品３を捜索することが可能になる。
【０１０８】
次に、本発明の第５の実施の形態を説明する。本発明の第５の実施の形態は、本発明の第３の実施の形態に、固定式ＩＣタグリーダ９０を更に加えたしたものである。本発明の第５の実施の形態は、固定式ＩＣタグリーダ９０を加えることで、物品３の状況を定期的に取得し、物品３に異常が起きた場合は報知することが可能である。
【０１０９】
図１３は、本発明の第５の実施の形態による物品管理システム１の構成例を示したブロック図である。図１３を参照すると、物品管理システム１は、物品管理サーバ１０と、ＩＣタグリーダ２０と、固定式ＩＣタグリーダ９０と、物品識別用ＩＣタグ３０と、端末装置４０と、ユーザ識別用ＩＣタグ６０と、エリア識別用ＩＣタグ７０と、報知装置８０を具備する。物品管理サーバ１０と、ＩＣタグリーダ２０と、固定式ＩＣタグリーダ９０と、端末装置４０と、報知装置８０は、ネットワーク５０を介して接続される。ネットワーク５０への接続方法は、有線と無線とのどちらでもよい。
【０１１０】
ＩＣタグリーダ２０と、物品識別用ＩＣタグ３０と、端末装置４０と、ユーザ識別用ＩＣタグ６０と、エリア識別用ＩＣタグ７０と、報知装置８０とは、第３の実施の形態と同様であるため説明を省略する。固定式ＩＣタグリーダ９０は、第４の実施の形態と同様であるため説明を省略する。
【０１１１】
物品管理サーバ１０は、物品状況データ管理部１０３、比較部１０８の機能が第３の実施の形態と異なる。その他の物品管理サーバ１０に係る、物品データ管理部１００と、ユーザデータ管理部１０１と、エリアデータ管理部１０２と、送受信部１０４と、入力部１０５と、出力部１０６と、報知制御部１０９は、第３の実施の形態と同様であるため説明を省略する。
【０１１２】
物品状況データ管理部１０３は、固定式ＩＣタグリーダ９０から「物品ＩＤ」と「エリアＩＤ」とを定期的に受信する。物品状況データ管理部１０３は、現在の物品３の貸出し及び保管状況を管理する物品状況データに、固定式ＩＣタグリーダ９０から取得した「物品ＩＤ」と「エリアＩＤ」を物品３の最新状況データとして関連付けて格納する。物品状況データ管理部１０３は、物品３の物品状況データと最新状況データとを比較部１０８へ送信する。
【０１１３】
比較部１０８は、物品状況データ管理部１０３から、物品３の物品状況データと、最新状況データとを受信する。比較部１０８は、物品３の物品状況データと、最新状況データとを比較する。比較部１０８は、最新状況データの「物品ＩＤ」の「エリアＩＤ」と、物品状況データに格納されている同じ「物品ＩＤ」の「エリアＩＤ」とが、同じであるか否かを比較する。比較部１０８は、比較の結果が同じでない場合、報知制御部１０９へ報知の要求を提供する。比較部１０８は、比較の結果が同じである場合、報知制御部１０９へ報知の要求を行わない。
【０１１４】
本発明の第５の実施の形態による物品管理システム１は、「エリアＩＤ」を有する固定式ＩＣタグリーダ９０が、定期的に物品３の「物品ＩＤ」を取得して物品３の最新状況を提供すると共に、物品３の管理に異常が起きた場合に逸早く報知することが出来る。従って、本発明の物品管理システム１は、定期的に物品３があるはずの場所から移動した場合に報知することが出来るため、物品３の紛失及び盗難を防ぐ効果を一層向上させることが出来る。
【図面の簡単な説明】
【０１１５】
【図１】図１は、本発明の第１の実施の形態による物品管理システム１の構成例を示したブロック図である。
【図２】図２は、物品管理サーバ１０の構成例を示したブロック図である。
【図３】図３は、ＩＣタグリーダ２０の構成例を示したブロック図である。
【図４】図４は、端末装置４０の構成例を示したブロック図である。
【図５】図５は、物品管理システム１の実施の形態における、ハードウエア構成例を示すブロック図である。
【図６】図６は、本発明の物品管理システム１の第１の実施の形態による、捜索者が物品３を捜索する処理動作を示したフローチャートである。
【図７】図７は、本発明の第２の実施の形態による物品管理サーバ１０の構成例を示したブロック図である。
【図８】図８は、本発明の物品管理システム１の第２の実施の形態による、捜索者が履歴データに基づいて物品３を捜索する処理動作を示したフローチャートである。
【図９】図９は、本発明の第３の実施の形態による物品管理システム１の構成例を示した図である。
【図１０】図１０は、本発明の第３の実施の形態による、物品管理サーバ１０の構成例を示したブロック図である。
【図１１】図１１は、本発明の物品管理システム１の第３の実施の形態による、報知装置８０が報知する処理動作を示したフローチャートである。
【図１２】図１２は、本発明の第４の実施の形態による物品管理システム１の構成例を示したブロック図である。
【図１３】図１３は、本発明の第５の実施の形態による物品管理システム１の構成例を示したブロック図である。
【符号の説明】
【０１１６】
１      物品管理システム
３      物品
１０    物品管理サーバ
２０    ＩＣタグリーダ
２１    ＩＣタグデータ取得部
２２    電波送信部
２３    ＩＤ受信部
２４    物品状況データ取得部
２５    判定部
２６    物品状況データ更新部
２７    入力部
２８    出力部
３０    物品識別用ＩＣタグ
４０    端末装置
４１    物品状況データ取得部
４２    データ更新部
４３    物品データ更新部
４４    ユーザデータ更新部
４５    エリアデータ更新部
４６    物品状況データ更新部
４７    入力部
４８    出力部
５０    ネットワーク
６０    ユーザ識別用ＩＣタグ
７０    エリア識別用ＩＣタグ
８０    報知装置
９０    固定式ＩＣタグリーダ
１００  物品データ管理部
１０１  ユーザデータ管理部
１０２  エリアデータ管理部
１０３  物品状況データ管理部
１０４  送受信部
１０５  入力部
１０６  出力部
１０７  履歴データ管理部
１０８  比較部
１０９  報知制御部
２００  ＣＰＵ
２０１  記憶装置
２０２  入力装置
２０３  出力装置
２０４  バス
【図１】
2010089870.tif 000003
【図２】
2010089870.tif 000004
【図３】
2010089870.tif 000005
【図４】
2010089870.tif 000006
【図５】
2010089870.tif 000007
【図６】
2010089870.tif 000008
【図７】
2010089870.tif 000009
【図８】
2010089870.tif 000010
【図９】
2010089870.tif 000011
【図１０】
2010089870.tif 000012
【図１１】
2010089870.tif 000013
【図１２】
2010089870.tif 000014
【図１３】
2010089870.tif 000015